(57)【要約】 【課題】  複雑な構成を用いることなく複数の用紙サイズに対応でき、かつガイド部材を紛失する虞のない用紙トレイを提供する。【解決手段】  用紙トレイ１０は、搬送される用紙を上面にて受けるように構成された用紙搬送部２０を備えており、この用紙搬送部２０における用紙搬送方向の両側に側壁部２２が設けられている。そして、用紙搬送方向と直交する回動軸周りに回動可能なガイド部材３０が設けられており、ガイド部材３０は、用紙搬送部２０の両側壁部２２，２２において、両側壁部２２，２２の内側に隣接して配置されており、かつ、これら両側壁部２２，２２の間で用紙をガイドするガイド位置と、ガイドしない退避位置とに位置設定可能に構成されている。【選択図】  図１
2005255403.tif 000002
【特許請求の範囲】
【請求項１】
搬送される用紙を上面にて受けるように構成された用紙搬送部を備え、前記用紙搬送部における用紙搬送方向の両側に側壁部が設けられた用紙トレイであって、
前記用紙搬送方向と直交する回動軸線周りに回動可能なガイド部材を有し、
前記ガイド部材は、前記用紙搬送部の少なくとも一方の側端部において、前記側壁部の内側に隣接して配置されており、かつ、前記用紙搬送部の両側壁部の間で用紙をガイドするガイド位置と、ガイドしない退避位置とに位置設定可能に構成されていることを特徴とする用紙トレイ。
【請求項２】
前記ガイド部材は、前記退避位置において前記用紙搬送部の前記上面よりも下方位置に保持されることを特徴とする請求項１に記載の用紙トレイ。
【請求項３】
前記ガイド部材には、前記ガイド位置において他部材と係合するストッパー部が設けられていることを特徴とする請求項１又は請求項２に記載の用紙トレイ。
【請求項４】
前記用紙搬送部には、前記ガイド部材の前記ストッパーと係合する被係合部が設けられていることを特徴とする請求項３に記載の用紙トレイ。
【請求項５】
前記被係合部は前記ストッパーと係合しない非係合状態となるように弾性変形可能に構成されていることを特徴とする請求項４に記載の用紙トレイ。
【請求項６】
前記被係合部は、前記ガイド位置においては、前記ガイド部材が前記退避位置へ変位することを拘束するように係合し、
前記退避位置においては、前記ガイド部材が前記ガイド位置に変位することを許容するように構成されていることを特徴とする請求項４又は請求項５に記載の用紙トレイ。
【請求項７】
前記ガイド部材は、作業者による前記被係合部に対する係合解除操作を条件として前記ガイド位置から前記退避位置への変位が可能となり、他方、前記退避位置から前記ガイド位置へと変位する際には、作業者の当該ガイド部材に対する操作に基づいて変位が可能とされることを特徴とする請求項６に記載の用紙トレイ。
【請求項８】
前記ガイド部材には、当該ガイド部材の回動軌跡に沿った仮想平面に対して傾斜した表面を有するテーパ部が設けられており、
前記被係合部は前記仮想平面と交差する方向に変位可能に構成されており、
前記ガイド部材が前記退避位置から前記ガイド位置に変位する際に、前記ガイド部材の回動に基づき、前記被係合部は、前記テーパ部と当接し、かつ当該テーパ部により前記仮想平面と交差する方向に押し出されるように変形して、当該テーパ部を乗り越え、
前記テーパ部が前記被係合部を乗り越えた状態では、前記被係合部が弾性復帰して前記ガイド部材の下方を支持する係合位置に設定されることを特徴とする請求項４ないし請求項７のいずれかに記載の用紙トレイ。
【請求項９】
前記被係合部は前記用紙搬送部の上面よりも下方位置に配置されており、かつ当該用紙搬送部の裏側より弾性変形させるための操作が可能に構成されていることを特徴とする請求項４ないし請求項８のいずれかに記載の用紙トレイ。
【請求項１０】
同一形状をなす一対の前記ガイド部材が、前記用紙搬送部の両側端部にそれぞれ設けられていることを特徴とする請求項１ないし請求項９のいずれかに記載の用紙トレイ。
【請求項１１】
前記ガイド部材は、前記用紙搬送部の両側端部のうち、いずれか一方側にのみ設けられていることを特徴とする請求項１ないし請求項９のいずれかに記載の用紙トレイ。
【請求項１２】
前記ガイド部材は、前記ガイド位置において側面が前記側壁部の内側面に支持されるように構成されていることを特徴とする請求項１ないし請求項１１のいずれかに記載の用紙トレイ。
【請求項１３】
前記ガイド部材は板状に構成されており、一方の板面が前記側壁部の内側面に支持されるように構成されており、他方の板面によって前記用紙搬送部を搬送される用紙の側縁をガイドするように構成されていることを特徴とする請求項１２に記載の用紙トレイ。
【請求項１４】
前記用紙搬送部の前記上面と所定距離隔てて配置されるカバー部材を有し、
前記カバー部材は、前記両側壁部と係合するための係合突起及び係合爪が幅方向両側部にそれぞれ１組ずつ設けられており、
これら前記係合突起及び前記係合爪が、前記両側壁部に形成された突起受け部及び爪受け部にそれぞれ係合されることによって前記側壁部に取り付けられていることを特徴とする請求項１ないし請求項１３のいずれかに記載の用紙トレイ。
【請求項１５】
前記カバー部材の前記幅方向両側部のそれぞれにおいて、前記係合突起は前記用紙搬送方向の上流側に突出し、かつ前記係合突起の下流側に前記係合爪が設けられ、
前記両側壁部において、前記カバー部材を配置する部分の上流側には、前記係合突起が挿入可能となるように前記突起受け部が形成されており、
前記カバー部材を前記両側壁部に組み付ける際には、前記幅方向両側部に設けられた前記係合突起又は当該係合突起の周縁部を、前記両側壁部に設けられた前記突起受け部にそれぞれ当接させた状態で、それら当接位置を支点として回動させることにより前記係合爪と前記爪受け部とが係合するように構成されていることを特徴とする請求項１４に記載の用紙トレイ。
【請求項１６】
前記ガイド部材の回動軸が、当該ガイド部材の自由端よりも下流側に配置されていることを特徴とする請求項１ないし請求項１５のいずれかに記載の用紙トレイ。
【請求項１７】
前記ガイド部材の回動軸は、前記用紙搬送部の前記上面よりも下方に配置されていることを特徴とする請求項１ないし請求項１６のいずれかに記載の用紙トレイ。
【請求項１８】
前記用紙搬送部には、前記ガイド部材を回動可能に支持する支持部が設けられ、
他方、前記ガイド部材には前記支持部に支持される被支持部が形成されており、
前記支持部と前記被支持部は、前記ガイド部材が特定の回動位置に設定される場合に支持状態が解除され、前記特定の回動位置以外では支持状態が維持されることを特徴とする請求項１ないし請求項１７のいずれかに記載の用紙トレイ。
【発明の詳細な説明】
【技術分野】
【０００１】
本発明は、用紙トレイに関する。
【背景技術】
【０００２】
従来、複数種類の用紙サイズに対応できるような構成をなす用紙トレイが提供されている。例えば、特許文献１では、用紙の端部を規制する複数の規制板を上下回動自在に構成すると共に、その規制板の回動により用紙サイズを検出するような構成が開示されている。この構成では、規制板を幅方向に移動させる必要がなく、かつ、当該規制板がサイズ検出のためのセンサを兼ねることとなる。
【特許文献１】特開昭６１−１７４０３５号公報
【発明の開示】
【発明が解決しようとする課題】
【０００３】
ところで、頻繁に用いられる用紙のサイズとしてＡ４サイズとこれに近似するレターサイズとがあるが、どのサイズを用いるのかはユーザによって異なるため、用紙トレイは、ユーザが任意に、かつ容易に設定変更できるような構成が望まれる。上記特許文献１の構成では、規制板が壁部から所定距離離れた位置において突出して配置されるような構成をなすが、このような構成では、確かに複数種類の用紙サイズに対応できる構成ではあるものの、ガイド位置にある規制板に対して幅方向の力が生じた場合に撓み等が生じやすく、安定性に欠ける。また、規制板がトレイ壁部から所定間隔離れて配置されるため、壁部によってガイドする最大サイズに対し、規制板によってガイドする用紙サイズはその離れた間隔分だけ小さいサイズとなってしまうため、微少なサイズ変更に対応しにくい。例えば、幅が２１０．０ｍｍＡ４サイズと、幅が２１５．９ｍｍのレターサイズとの２種類のサイズに対応したい場合、その差は約６ｍｍ程度の微少差であるが、上記特許文献１のように規制板を幅方向中間位置に突出させるような構成では難しい。
【０００４】
本発明は上記のような事情に基づいて完成されたものであって、複雑な構成を用いることなく複数サイズの用紙を安定して保持でき、かつガイド部材を紛失する虞のない用紙トレイを提供することを目的とする。
【課題を解決するための手段】
【０００５】
上記の目的を達成するための手段として、請求項１の発明は、搬送される用紙を上面にて受けるように構成された用紙搬送部を備え、前記用紙搬送部における用紙搬送方向の両側に側壁部が設けられた用紙トレイであって、前記用紙搬送方向と直交する回動軸線周りに回動可能なガイド部材を有し、前記ガイド部材は、前記用紙搬送部の少なくとも一方の側端部において、前記側壁部の内側に隣接して配置されており、かつ、前記用紙搬送部の両側壁部の間で用紙をガイドするガイド位置と、ガイドしない退避位置とに位置設定可能に構成されていることを特徴とする。
【０００６】
請求項２の発明は、請求項１に記載の用紙トレイにおいて、前記ガイド部材は、前記退避位置において前記用紙搬送部の前記上面よりも下方位置に保持されることを特徴とする。
【０００７】
請求項３の発明は、請求項１又は請求項２に記載の用紙トレイにおいて、前記ガイド部材には、前記ガイド位置において他部材と係合するストッパー部が設けられていることを特徴とする。
【０００８】
請求項４の発明は、請求項３に記載の用紙トレイにおいて、前記用紙搬送部には、前記ガイド部材の前記ストッパーと係合する被係合部が設けられていることを特徴とする。
【０００９】
請求項５の発明は、請求項４に記載の用紙トレイにおいて、前記被係合部は前記ストッパーと係合しない非係合状態となるように弾性変形可能に構成されていることを特徴とする。
【００１０】
請求項６の発明は、請求項４又は請求項５に記載の用紙トレイにおいて、前記被係合部は、前記ガイド位置においては、前記ガイド部材が前記退避位置へ変位することを拘束するように係合し、前記退避位置においては、前記ガイド部材が前記ガイド位置に変位することを許容するように構成されていることを特徴とする。
【００１１】
請求項７の発明は、請求項６に記載の用紙トレイにおいて、前記ガイド部材は、作業者による前記被係合部に対する係合解除操作を条件として前記ガイド位置から前記退避位置への変位が可能となり、他方、前記退避位置から前記ガイド位置へと変位する際には、作業者の当該ガイド部材に対する操作に基づいて変位が可能とされることを特徴とする。
【００１２】
請求項８の発明は、請求項４ないし請求項７のいずれかに記載の用紙トレイにおいて、前記ガイド部材には、当該ガイド部材の回動軌跡に沿った仮想平面に対して傾斜した表面を有するテーパ部が設けられており、前記被係合部は前記仮想平面と交差する方向に変位可能に構成されており、前記ガイド部材が前記退避位置から前記ガイド位置に変位する際に、前記ガイド部材の回動に基づき、前記被係合部は、前記テーパ部と当接し、かつ当該テーパ部により前記仮想平面と交差する方向に押し出されるように変形して、当該テーパ部を乗り越え、前記テーパ部が前記被係合部を乗り越えた状態では、前記被係合部が弾性復帰して前記ガイド部材の下方を支持する係合位置に設定されることを特徴とする。
【００１３】
請求項９の発明は、請求項４ないし請求項８のいずれかに記載の用紙トレイにおいて、前記被係合部は前記用紙搬送部の上面よりも下方位置に配置されており、かつ当該用紙搬送部の裏側より弾性変形させるための操作が可能に構成されていることを特徴とする。
【００１４】
請求項１０の発明は、請求項１ないし請求項９のいずれかに記載の用紙トレイにおいて、同一形状をなす一対の前記ガイド部材が、前記用紙搬送部の両側端部にそれぞれ設けられていることを特徴とする。
【００１５】
請求項１１の発明は、請求項１ないし請求項９のいずれかに記載の用紙トレイにおいて、前記ガイド部材は、前記用紙搬送部の両側端部のうち、いずれか一方側にのみ設けられていることを特徴とする。
【００１６】
請求項１２の発明は、請求項１ないし請求項１１のいずれかに記載の用紙トレイにおいて、前記ガイド部材は、前記ガイド位置において側面が前記側壁部の内側面に支持されるように構成されていることを特徴とする。
【００１７】
請求項１３の発明は、請求項１２に記載の用紙トレイにおいて、前記ガイド部材は板状に構成されており、一方の板面が前記側壁部の内側面に支持されるように構成されており、他方の板面によって前記用紙搬送部を搬送される用紙の側縁をガイドするように構成されていることを特徴とする。
【００１８】
請求項１４の発明は、請求項１ないし請求項１３のいずれかに記載の用紙トレイにおいて、前記用紙搬送部の前記上面と所定距離隔てて配置されるカバー部材を有し、前記カバー部材は、前記両側壁部と係合するための係合突起及び係合爪が幅方向両側部にそれぞれ１組ずつ設けられており、これら前記係合突起及び前記係合爪が、前記両側壁部に形成された突起受け部及び爪受け部にそれぞれ係合されることによって前記側壁部に取り付けられていることを特徴とする。
【００１９】
請求項１５の発明は、請求項１４に記載の用紙トレイにおいて、前記カバー部材の前記幅方向両側部のそれぞれにおいて、前記係合突起は前記用紙搬送方向の上流側に突出し、かつ前記係合突起の下流側に前記係合爪が設けられ、前記両側壁部において、前記カバー部材を配置する部分の上流側には、前記係合突起が挿入可能となるように前記突起受け部が形成されており、前記カバー部材を前記両側壁部に組み付ける際には、前記幅方向両側部に設けられた前記係合突起又は当該係合突起の周縁部を、前記両側壁部に設けられた前記突起受け部にそれぞれ当接させた状態で、それら当接位置を支点として回動させることにより前記係合爪と前記爪受け部とが係合するように構成されていることを特徴とする。
【００２０】
請求項１６の発明は、請求項１ないし請求項１５のいずれかに記載の用紙トレイにおいて、前記ガイド部材の回動軸が、当該ガイド部材の自由端よりも下流側に配置されていることを特徴とする。
【００２１】
請求項１７の発明は、請求項１ないし請求項１６のいずれかに記載の用紙トレイにおいて、前記ガイド部材の回動軸は、前記用紙搬送部の前記上面よりも下方に配置されていることを特徴とする。
【００２２】
請求項１８の発明は、請求項１ないし請求項１７のいずれかに記載の用紙トレイにおいて、前記用紙搬送部には、前記ガイド部材を回動可能に支持する支持部が設けられ、他方、前記ガイド部材には前記支持部に支持される被支持部が形成されており、前記支持部と前記被支持部は、前記ガイド部材が特定の回動位置に設定される場合に支持状態が解除され、前記特定の回動位置以外では支持状態が維持されることを特徴とする。
【発明の効果】
【００２３】
＜請求項１の発明＞
この構成によれば、用紙サイズ変更の際に着脱操作を行わないため、ガイド部材を紛失するおそれがなく、かつ、ガイド部材の回動操作により用紙サイズの変更に容易に対応できる構成となる。また、側壁部に隣接してガイド部材が配置されるため、用紙を安定してガイドし得る構成となる。
【００２４】
＜請求項２の発明＞
この構成によれば、ガイド部材を用紙の搬送がスムーズに行われる位置に退避させることができる。
【００２５】
＜請求項３の発明＞
この構成によれば、ストッパー部により、ガイド部材をガイド位置に安定的に保持することができる。
【００２６】
＜請求項４の発明＞
この構成によれば、ガイド部材をガイド位置に安定的に保持する上でより好適な構成となる。
【００２７】
＜請求項５の発明＞
この構成によれば、簡易な構成にて係合を解除できることとなる。
【００２８】
＜請求項６の発明＞
この構成によれば、ガイド位置においては、退避位置へ変位することが拘束されるためガイド部材は安定的に保持され、退避位置においては、ガイド位置に向けて変位することが許容されるため、操作が行いやすい構成となる。
【００２９】
＜請求項７の発明＞
ガイド位置にある場合には、ガイド部材は被係合部に対する係合解除操作を行わなければ退避位置へ変位しないため、衝撃や誤操作に起因してガイド部材が脱落するようなことがなく、安定的に保持する上で好適な構成となる。他方、退避位置からガイド位置に変位する際には、当該ガイド部材に対する操作を行うのみで変位させることができるため、容易に変位させることができる。
【００３０】
＜請求項８の発明＞
この構成によれば、ガイド部材が退避位置に安定的に固定され、かつガイド部材を退避位置からガイド位置へ向かわせる操作も行いやすい構成となる。
【００３１】
＜請求項９の発明＞
この構成によれば、用紙搬送や用紙供給の際に被係合部が邪魔にならず、誤操作されにくい構成となる。
【００３２】
＜請求項１０の発明＞
この構成によれば、ガイド部材によってガイドされる場合とそうでない場合の両サイズにおいて中心から左右対称に保持・搬送できる構成となる。
【００３３】
＜請求項１１の発明＞
この構成によれば、部品数を少なくしつつ上記効果を得ることができる。
【００３４】
＜請求項１２の発明＞
この構成によれば、ガイド部材を幅方向に安定して位置決めできる構成となる。
【００３５】
＜請求項１３の発明＞
このように、板状に構成されるガイド部材の一方の板面を側壁部の内側面にて支持し、他方の板面によって搬送される用紙の側縁をガイドするように構成すれば、板厚程度の微少な違いに対応できることとなり、変更される用紙サイズが微少であっても適切に対応できる構成となる。
【００３６】
＜請求項１４の発明＞
このようにすれば、カバー部材を側壁部に組付けしやすい構成となる。
【００３７】
＜請求項１５の発明＞
このようにすれば、より一層組み付けが行いやすく、用紙トレイの側壁部の下流側において側壁部とカバー部材との両端が密着状態で組み付けられる構成となる。
【００３８】
＜請求項１６の発明＞
このようにすれば、上流側が上下動し、下流側で回動支持される構成となり、用紙の側縁を上流側に位置する自由端で確実にガイドすることができる。
【００３９】
＜請求項１７の発明＞
このようにすれば、回動軸が用紙搬送の邪魔にならず、好適に用紙搬送が行える構成となる。
【００４０】
＜請求項１８の発明＞
上記構成によれば、回動位置を設定することによって支持状態の維持及び解除がなされるため、着脱操作が容易な構成となる。
【発明を実施するための最良の形態】
【００４１】
＜実施形態１＞
本発明の実施形態１を図１ないし図１２を参照して説明する。
図１は本発明の実施形態１に係る用紙トレイの使用例を示すものであり、給紙機構部に取り付けた状態を示す斜視図である。また、図２は、図１の用紙トレイ及び給紙機構部を備えたファクシミリ装置の構成を例示する断面概略図であり、図３は、給紙機構部と用紙トレイとの接続部分を拡大して示す断面図である。図４は用紙トレイ本体部を示す平面図、図５（ａ）（ｂ）は、用紙トレイ本体部を表側及び裏側から見た斜視図、図６は、ガイド部材がガイド位置にある状態の用紙トレイの平面図及び一部を切断して示す説明図である。図７は、図６の状態から、一方のガイド部材を退避位置に変位させた状態を示す説明図である。図８（ａ）（ｂ）は、ガイド部材を正面から見た図及びガイド部材と被係合部の係合状態を説明する説明図である。なお、図８（ｂ）は、図４のＡ−Ａ位置で切断した場合の一部を概略的に示すものである。また、図８（ｃ）は、図８（ｂ）の状態から係合状態が解除される場合について説明する説明図である。図９（ａ）（ｂ）は、用紙トレイ本体部の一部を切断して示す説明図であり、一方のガイド部材を取り外した状態を示している。図１０は、図９の状態から、ガイド部材を本体部に取り付けた図である。図１１（ａ）（ｂ）は、カバー部材を例示する裏面図及び背面図である。図１２（ａ）（ｂ）（ｃ）は、カバー部材を例示する側面図、側壁部の断面図、及びカバー部材を本体部に取り付けた状態を例示する図である。
【００４２】
図１、図２に示すように、用紙トレイ１０はファクシミリ装置等の給紙トレイとして構成されるものであり、ここでは用紙トレイ１０がファクシミリ装置１の給紙機構部１００に取り付けられた状態を例示している。図１のように、ファクシミリ装置の給紙機構１００には用紙トレイ１０が係合（図３参照：後述）によって取り付けられており、この用紙トレイ１０に隣接して分離ローラ５が配置されている。分離ローラ５は、図外の駆動モータや駆動機構による駆動力がローラ軸５ａを介して伝達されて回転駆動される。分離ローラ５は、一枚ずつ用紙を分離し、搬送経路に沿って給紙搬送し、その給紙搬送される用紙は、図２のようなファクシミリ装置内部に供給されることとなる。
【００４３】
本実施形態で例示されるファクシミリ装置１の構成を概説すると、図２に示すように、ファクシミリ装置１は、用紙トレイ１０から搬送される用紙搬送経路（矢印Ｘ）の下流側において、プラテン７０が設けられている。このプラテン７０は、図外の駆動モータやギアを介して回転駆動される。また、プラテン７０に対向して、サーマルヘッド７１が設けられている。ここで、サーマルヘッド７１は、多数の発熱素子がライン状に形成された、いわゆるラインサーマルヘッドから構成されている。これにより、サーマルヘッド７１は、使用される記録紙の印字可能範囲をカバーすることができる。サーマルヘッド７１は、付勢バネ７３の付勢力を介してプラテン７０に圧接される。
【００４４】
分離ローラ５の下方には、ロール状に巻かれたリボン６０が収納されており、このリボン６０は、ラインサーマルヘッドからなるサーマルヘッド７１の発熱素子による記録可能な範囲をカバーすべく幅広に形成されている。リボン６０は、リボン収納部から引き出され、プラテン７０とサーマルヘッド７１との間を通過してリボン巻取スプール６５に巻き取られる。このリボン巻取スプール６５は、図外の駆動モータやギアを介して回転駆動され、記録で使用されたリボン６０を巻き取るものである。なお、ファクシミリ装置１の上側に設けられた上部パネル６１には、数字キー、各種ファンクションキーなどを有するキーボード６３が設けられており、これらのキーを押下することによりファクシミリ装置１が実行可能な各種の動作が行われるようになっている。
【００４５】
（用紙トレイ本体部）
図１に示すように、用紙トレイ１０は、用紙トレイ本体部１２（以下、本体部１２ともいう）にカバー部４０が着脱可能に取り付けられた構成をなしている。さらに、本体部１２において、用紙搬送部２０の上面側には、用紙搬送方向に沿って延びるリブ２０ｂが形成されており、搬送される用紙をリブ２０ｂの上面にて受けるように構成されている。また、図１に示すように、用紙トレイ本体部１２に対し、用紙の一部を部分的に保持する保持金具５０が着脱可能に取り付けられている。図４に示すように、この用紙搬送部２０の用紙搬送方向の両側には（具体的には、用紙搬送部２０の用紙搬送方向と直交する方向を横方向とした場合の両側方（横方向両端側）において）、用紙搬送部２０の幅方向に対してほぼ垂直に立ち上がる側壁部２２，２２が設けられた構成をなしている。本体部１２は、用紙幅方向を長手方向とするように長手状に構成されており、用紙搬送方向下流端側には給紙機構１００に取り付けるための一対の取付用係合部２８，２８が形成されている。各々の取付用係合部２８には、取付用係合爪２８ａが形成されており、図３に示すように、この取付用係合爪２８ａが給紙機構１００に設けられた被係合部７と係合することにより、用紙トレイ１０と給紙機構１００とが固定されるようになっている。
【００４６】
（ガイド部材）
さらに、図４に示すように、本体部１２には、用紙搬送方向と直交する回動軸周りに回動可能な一対のガイド部材３０，３０が設けられている。ここでは、用紙幅方向、即ち、当該用紙トレイ１０の長手方向を軸方向とするようにガイド部材３０の回動軸が設定されている。このガイド部材３０は、用紙搬送部２０における幅方向（長手方向）側端部において、側壁部２２，２２の内側に隣接して配置されており、かつ、用紙搬送部２０の両側壁部２２，２２の間で用紙をガイドするガイド位置（図６参照：後述）と、ガイドしない退避位置（図７参照：後述）とに位置設定可能に構成されている。本実施形態に係る用紙トレイ１０は、このガイド部材３０，３０の位置設定により、２種類の用紙に対応した幅設定が可能となっている。
【００４７】
また、図４に示すように、ここでは、幅が２１０．０ｍｍＡ４サイズと、幅が２１５．９ｍｍのレターサイズとの２種類のサイズに対応可能となっており、双方のガイド部材３０，３０が退避位置にある場合にはレターサイズを利用でき、双方のガイド部材３０，３０がガイド位置にある場合にはＡ４サイズを利用できるように構成されている。即ち、両側壁部２２，２２の内面２２ｃ，２２ｃの間隔がレターサイズの幅と略同サイズとなっており、図４のようにガイド位置にある場合のガイド部材３０，３０の幅が略Ａ４サイズと同サイズとなっている。本実施形態では、図４に示すように、双方のガイド部材３０，３０が互いに同一形状をなしており、一方のガイド部材の幅ｔ１と他方のガイド部材の幅ｔ２とが同じとなっている。したがって両側壁部２２ｃ，２２ｃ間の中心線と、両ガイド部材３０，３０の双方の内面３０ａ、３０ａ間の中心線が同じ位置となっている。図４にはその中心線Ｃを示しており、どちらのサイズを用いる場合であっても用紙の幅方向の中心が中心線Ｃに沿って移動するように搬送される。
【００４８】
ガイド部材３０は、図５、図７に示すように、退避位置において用紙搬送部２０の上面２０ａ（具体的にはリブ２０ｂの上端に設けられた微少幅の面）よりも下方位置に保持されるように（即ち、退避位置においてガイド部材３０の端部がリブ２０ｂの上面より突出しないように）なっている。ここでは、図７に示すように、被係合部２６の保持用突起２６ｅとガイド部材３０のアーム部３０ｄの下端との係合により、ガイド部材３０は退避位置に保持される。また、図６に示すように、ガイド部材３０には、ガイド位置において他部材（具体的には被係合部２６）と係合するストッパー部３２が設けられている。図８（ａ）は図６のようなガイド位置にある場合のガイド部材３０を正面から見た図であり、図８（ｂ）はガイド部材３０の取り付け状態を示すものであるが、図８（ｂ）に示すように、ストッパー部３２には、図８（ｂ）のような取り付け状態において、ガイド部材３０の回動軌跡に沿った仮想平面Ｆに対して傾斜するような表面を有するテーパ部３２ａと、回転軌跡に対し略直交した上面２６ａを有する支持部３２ｂとが設けられている。
【００４９】
一方、図９に示すように、用紙搬送部２０には、ガイド部材３０のストッパー部３２と係合する被係合部２６が設けられているが、この被係合部２６はストッパー部３２と係合しない非係合状態となるように弾性変形可能に構成されている。具体的には、図９に示すように被係合部２６はほぼ用紙搬送方向に沿って延出する片持ち状に形成されており、自由端２６ｃ側を操作することによって用紙搬送部の幅方向に撓むように構成されている。また、図９に示すように、被係合部２６は用紙搬送部２０の上面(具体的にはリブ２０ｂの上面２０ａ）よりも下方位置に配置されており、かつ当該用紙搬送部２０の裏側より弾性変形させるための操作が可能に構成されている。なお裏側からの操作についてはどの部分を操作してもよいが、被係合部２６の下端部に設けられた保持用突起２６ｅを操作すると撓み操作が行いやすい。
【００５０】
また、被係合部２６は、図８（ｂ）に示すガイド位置においては、ガイド部材３０が退避位置へ変位することを拘束するように係合し（即ち、ガイド部材３０が下方に回動しないように拘束し）、一方、図８（ｃ）に示すように、作業者により被係合部２６が撓まされて係合が解除されることにより、ガイド部材３０が退避位置に変位する（即ち、図８（ｃ）の状態からガイド部材３０が下方へ回動する）ことが許容される。ガイド部材３０は、作業者による被係合部２６に対する係合解除操作を条件として図６の一方側に示すガイド位置から図７の退避位置への変位が可能となり、他方、退避位置からガイド位置へと変位する際には、作業者のガイド部材３０に対する操作に基づいて変位が可能とされる。
【００５１】
即ち、ガイド部材３０には、当該ガイド部材３０の回動軌跡に沿った仮想平面Ｆに対して傾斜した表面を有するテーパ部が設けられており被係合部２６は仮想平面Ｆと交差する方向に変位可能に構成されている。本実施形態では、ガイド部材３０は、支持部２５を中心として支持部２５の周りを回動するように構成されているため、支持部２５の軸方向（即ち用紙搬送部の幅方向）と直交する仮想平面Ｆが設定される。なお、図８（ｂ）、（ｃ）では、仮想平面Ｆの位置について一点鎖線にて概念的に示している。
【００５２】
一方、ガイド部材３０が退避位置からガイド位置に変位する際には（即ち、図７の一方側のガイド部材に関し、図７の状態から図６の状態へと復帰する場合）ガイド部材３０の回動に基づき、被係合部２６の下方面２６ｂは、テーパ部３２ａと当接し、かつ当該テーパ部３２ａにより仮想平面Ｆと交差する方向（矢印Ｙ方向）に押し出されるように変形して、当該テーパ部３２ａを乗り越えるようになっている。テーパ部３２ａが被係合部２６を乗り越えた状態では、再び、図６（図８（ｂ）も参照）のように被係合部２６が弾性復帰し、被係合部２６の上面２６ａにてガイド部材３０の下方を支持する係合位置に設定される。
【００５３】
本実施形態では、図６に示すように、同一形状をなす一対のガイド部材３０，３０が、用紙搬送部２０の両側端部にそれぞれ設けられており、各ガイド部材３０は、ガイド位置において側面が側壁部の内側面２２ｃに支持されるように構成されている。ガイド部材３０は板状に構成されており、一方の板面３０ｂが側壁部２２の内側面２２ｃに支持されるように構成されており、他方の板面３０ａによって用紙搬送部２０を搬送される用紙の側縁をガイドするように構成されている。
【００５４】
次に、図９及び図１０を参照してガイド部材の取付状態について説明する。
図１０に示すように、ガイド部材３０は、回動軸（即ち支持部２５の中心）が当該ガイド部材３０の自由端３０ｃよりも下流側に配置されている。即ち、ガイド部材３０の先端側が上流側に位置し、回動軸よりも上流側で上下動するようになっている。また、ガイド部材３０の回動軸は、用紙搬送部２０の上面２０ａ（リブ２０ｂの上面）よりも下方に配置されている。したがって、図７のようにガイド部材３０が所定の回動位置にある場合にガイド部材３０の全体が用紙搬送部２０の上面２０ａよりも下方に位置することとなり、退避位置では用紙搬送の邪魔にならない構成となっている。
【００５５】
図９に示すように、被係合部２６の基端部２６ｄ付近において、ガイド部材３０を回動可能に支持する支持部２５が幅方向の突出して設けられており、他方、ガイド部材３０には支持部２５に支持される被支持部３３が形成されている。支持部２５と被支持部３３は、ガイド部材３０が特定の回動位置に設定される場合に図９のように支持状態が解除され、特定の回動位置以外では図１０のように支持状態が維持されるように構成されている。また、図９のように被支持部３３は、略円筒状に構成され、一部において切欠き部３３ｂが形成されている。そして、被支持部３３の内周面３３ａの径が支持部２５の軸断面長手方向の長さＬ１と略同じか若干大きめに構成されている。また、軸状に突出する支持部２５は、軸断面が長手状に形成されており、その長手方向の両端の側面２５ａ，２５ａは被支持部３３の内周面３３ａとほぼ同じ曲率とされた円筒状の面とされている。
【００５６】
また、図９に示すように切り欠き部３３ｂの幅は軸断面短手方向の長さＬ２と略同じか若干大きめに構成されており、図９のような取り外された状態から切り欠き部３３ａを介して支持部２５が被支持部３３内に進入する。進入後は図１０のように回動させることによって互いに摺動可能に保持される。なお、ガイド部材３０は、後述するカバー部材４０を取り付けた状態ではカバー部材４０に拘束されて所定角度以上回動しないようになっており、カバー部材４０を取り外した際の回動位置において支持部２５と被支持部３３の着脱が可能となる。即ち、カバー部材４０を取り外したときのみ取り得る特定の回動位置が支持状態を解除できる回動位置である。
【００５７】
具体的には、カバー部材４０を取り付けている状態では、図６のようにガイド部材３０がカバー部材４０に当接して所定の回動位置までしか上方に移動できず、図９、図１０のようにカバー部材４０を取り外すことによって支持部２５の下端部が切り欠き部３３ｂの位置に相対的に移動して図９のように取り外すことができる。なお、図９、図１０では図示を省略しているが、支持部２５の外側には、図５（ｂ）、図８（ｂ）（ｃ）のようにガイド部材３０の外側への移動を拘束する拘束部２９が設けられており、ガイド部材３０が支持部２５の外側に抜けないようになっている。
【００５８】
（カバー部材）
次にカバー部材４０について説明する。
図１等に示すように、カバー部材４０は、用紙搬送部２０の上面（具体的にはリブ２０ｂの上面）と所定距離隔てて配置される構成をなしている。図１１及び図１２（ａ）に示すように、このカバー部材４０は、幅方向に細長に形成されるベース部４１を有し、かつ両側壁部２２，２２と係合するための係合突起４２及び係合爪４５が幅方向両側部にそれぞれ１組ずつ設けられている。そして、これら係合突起４２及び係合爪４５が、両側壁部に形成された突起受け部２２ｅ及び爪受け部２２ｆにそれぞれ係合されることによって側壁部２２に取り付けられている。
【００５９】
図１２（ｂ）の取り付け状態にて示すように、カバー部材４０の幅方向両側部のそれぞれにおいて、係合突起４２は用紙搬送方向の上流側に突出し、かつ係合突起４２の下流側に係合爪４５が設けられている。そして、両側壁部２２，２２において、カバー部材４０を配置する部分の上流側には、係合突起が挿入可能となるように挿入孔２２ａ及び突起受け部２２ｅが形成されており、下流側には係合爪４５を挿入するための挿入孔２２ｂが形成されている。カバー部材４０を両側壁部２２，２２に組み付ける際には、幅方向両側部に設けられた係合突起４２の周縁部を、両側壁部に設けられた突起受け部２２ｅの一部にそれぞれ当接させた状態で、それら当接位置を支点として回動させることにより係合爪４５と爪受け部２２ｆとが係合するように構成されている。
【００６０】
上記のように構成される用紙トレイ１０は、レターサイズで使用する場合には、双方のガイド部材３０，３０が作業者によって退避位置に設定される。これにより、レターサイズの用紙は両側壁部２２，２２によって幅方向を拘束されて搬送される。一方、Ａ４サイズで使用する場合には、双方のガイド部材３０，３０が作業者によって図１のようなガイド位置に設定される。これにより、Ａ４用紙は双方のガイド部材３０，３０によって幅方向を拘束されて装置内部に給紙されることとなる。
【００６１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では両側壁部の双方に隣接してガイド部材を配置したが、両側壁部のいずれか一方側のみに隣接して設けられていてもよい。例えば、レターサイズとＡ４サイズとの寸法差程度の（約６ｍｍ程度）の厚さを有するガイド部材をいずれか一方の側壁部に隣接して配置させ、ガイド位置においては当該ガイド部材と他方の側壁部によって用紙をガイドし、退避位置においては両側壁部によって用紙をガイドするように構成してもよい。
（２）上記実施形態では用紙トレイを装置本体側に着脱可能に取り付ける構成を例示したが、一体的に形成してもよい。例えば上記のようなファクシミリ装置等の画像形成可能な装置に適用する場合には、給紙機構１００と一体的に用紙トレイ１０を構成してもよく、或いは装置筐体の一部によって用紙トレイ１０を構成してもよい。
（３）上記実施形態ではファクシミリ装置に用いる用紙トレイを例示したが、これ以外の装置であってもよい。例えば、プリンタ等の画像形成装置などであってもよい。
【図面の簡単な説明】
【００６２】
【図１】本発明の実施形態１に係る用紙トレイの使用例を示す斜視図
【図２】図１の用紙トレイ及び給紙機構部を備えたファクシミリ装置の構成を例示する側面断面概略図
【図３】給紙機構部と用紙トレイとの接続部分を拡大して示す断面図
【図４】用紙トレイ本体部を例示する平面図
【図５】用紙トレイ本体部を表側及び裏側から見た斜視図
【図６】用紙トレイの一部を切断して内部構造を平面及び側面にて説明する説明図
【図７】図６の用紙トレイから一部のガイド部材を退避位置に移動させた状態を示す説明図
【図８】ガイド部材の正面図、及びガイド部材と被係合部との係合状態を説明する説明図
【図９】用紙トレイ本体部の一部を切断して示すものであり、ガイド部材を取り外した状態を説明する説明図
【図１０】図９に対しガイド部材を取り付けた状態を示す斜視図
【図１１】カバー部材を例示する平面図及び背面図
【図１２】カバー部材の側面図、側壁部の内部断面図、及びカバー部材を本体部に取り付けた状態を示す図
【符号の説明】
【００６３】
１０…用紙トレイ
２０…用紙載置部
２０ａ…上面
２２…側壁部
２５…支持部
２６…被係合部
３０…ガイド部材
３２…ストッパー部
３２ａ…テーパ部
３３…被支持部
４０…カバー部材
４２…係合突起
４５…係合爪
【図１】
2005255403.tif 000003
【図２】
2005255403.tif 000004
【図３】
2005255403.tif 000005
【図４】
2005255403.tif 000006
【図５】
2005255403.tif 000007
【図６】
2005255403.tif 000008
【図７】
2005255403.tif 000009
【図８】
2005255403.tif 000010
【図９】
2005255403.tif 000011
【図１０】
2005255403.tif 000012
【図１１】
2005255403.tif 000013
【図１２】
2005255403.tif 000014